(57)【要約】【課題】  像露光のための光学系を調整機構や取付部材を必要とせず合焦位置に固定することを目的とする。【解決手段】  像形成体の周辺に帯電手段、像露光手段および現像手段をそれぞれ複数設け、像形成体の一回転中に像形成体上に複数のトナー像を重ね合わせて形成した後、転写材に一括して転写するカラー画像形成装置に用いる像露光手段の組立方法であって、像露光手段を位置調整可能に保持すると共に、像露光手段を取り付ける支持部材と、像形成体面に相当する位置に結像面が設定されたＣＣＤと、を支持する調整装置を用い、像露光手段の焦点がＣＣＤ面に合焦するように、像露光手段をＣＣＤ面の垂直方向に移動し位置調整するステップ、及び位置調整された像露光手段を低硬化収縮性の接着剤を介して支持部材上に固定するステップ、を有する像露光手段の組立方法。【選択図】        図７
2004213040.tif 000002
【特許請求の範囲】
【請求項１】
像形成体の周辺に帯電手段、像露光手段および現像手段をそれぞれ複数設け、前記像形成体の一回転中に該像形成体上に複数のトナー像を重ね合わせて形成した後、転写材に一括して転写するカラー画像形成装置に用いる像露光手段の組立方法であって、
前記像露光手段を位置調整可能に保持すると共に、該像露光手段を取り付ける支持部材と、前記像形成体面に相当する位置に結像面が設定されたＣＣＤと、を支持する調整装置を用い、
前記像露光手段の焦点が前記ＣＣＤ面に合焦するように、前記像露光手段を前記ＣＣＤ面の垂直方向に移動し位置調整するステップ、及び
前記位置調整された前記像露光手段を低硬化収縮性の接着剤を介して前記支持部材上に固定するステップ、を有することを特徴とする像露光手段の組立方法。
【請求項２】
像形成体の周辺に帯電手段、像露光手段および現像手段をそれぞれ複数設け、前記像形成体の一回転中に該像形成体上に複数のトナー像を重ね合わせて形成した後、転写材に一括して転写するカラー画像形成装置に用いる像露光手段の組立方法であって、
前記像形成体面に相当する位置に結像面が設定されたＣＣＤを、前記像露光手段を取り付ける支持部材に対し配置するステップ、
前記像露光手段の焦点が前記ＣＣＤ面に合焦するように、前記像露光手段を前記ＣＣＤ面の垂直方向に移動し位置調整するステップ、及び
前記位置調整された前記像露光手段を低硬化収縮性の接着剤を介して前記支持部材上に固定するステップ、を有することを特徴とする像露光手段の組立方法。
【請求項３】
前記像露光手段は前記像形成体の軸方向に配列した発光素子とレンズとから構成される露光光学系であることを特徴とする請求項１又は２に記載の像露光手段の組立方法。
【請求項４】
前記像露光手段は微動ステージ上にクランプされて保持されていることを特徴とする請求項１乃至３の何れか１項に記載の像露光手段の組立方法。
【請求項５】
前記ＣＣＤの結像面は、前記像形成体面に相当する位置に結像面が設定された状態で、前記支持部材の軸心に対して平行移動されることを特徴とする請求項１乃至４の何れか１項に記載の像露光手段の組立方法。
【請求項６】
前記像露光手段全体の前記ＣＣＤ面に対する合焦位置の調整は前記像露光手段の少なくとも両端部の近傍２カ所で行われることを特徴とする請求項１乃至５の何れか１項に記載の像露光手段の組立方法。
【請求項７】
前記調整ステップにおいて、前記像露光手段はＣＣＤ面に対する角度と位置の調整がされた上で、前記ＣＣＤ面の垂直方向に移動されることを特徴とする請求項１乃至６の何れか１項に記載の像露光手段の組立方法。
【請求項８】
前記ＣＣＤは２次元のエリアタイプのＣＣＤであるとともに、
前記調整ステップにおいて、ＣＣＤに対し前記像露光手段の焦点位置をそれぞれ少なくとも３カ所以上変化させて、半値幅又は最大輝度を測定することにより合焦位置を予測し、前記像露光手段の位置が調整されることを特徴とする請求項１乃至７の何れか１項に記載の像露光手段の組立方法。
【請求項９】
前記低硬化収縮性の接着剤は紫外線硬化型の接着剤であるとともに、前記固定ステップにおいて前記像露光手段は前記支持部材との間に紫外線透過可能な貼付部材を介在させた上で前記接着剤によって固定されることを特徴とする請求項１乃至８の何れか１項に記載の像露光手段の組立方法。
【発明の詳細な説明】
【技術分野】
【０００１】
本発明は、像形成体の周面に複数のトナー像を重ね合わせることによってカラー画像形成を行うカラー画像形成装置に用いる像露光手段の組立方法に関し、特に像露光手段としての光学系と光源とを一体化した露光光学系を使用するデジタル方式のカラー画像形成装置に用いる像露光手段の組立方法に関する。
【背景技術】
【０００２】
多色のカラー画像を形成する方法としては、画像を必要な色と同数の感光体，帯電器，現像器等を備え、それぞれ感光体に形成した単色のトナー像を中間転写体等に重ね合わせてカラー画像とする装置（Ａ）や、１つの感光体を複数回転して各色毎の帯電，像露光ならびに現像を繰り返してカラー画像を形成する装置（Ｂ）、あるいは同じく１つの感光体の一回転以内に各色毎の帯電，像露光ならびに現像を順次行ってカラー画像を形成する装置（Ｃ）等が知られている。
【０００３】
しかし前記の装置（Ａ）は複数の感光体や中間転写体を要するため装置の容積が大型化する欠点があり、一方装置（Ｂ）は帯電手段、像露光手段や感光体が一つだけであるので容積は小型化されるものの形成される画像のサイズが感光体の表面積以下に限定されると云う制約があり、その点前記の装置（Ｃ）は感光体が一つでありながら画像のサイズに制約がなく、しかも高速プリントを可能とする等の利点が多くある。
【発明の開示】
【発明が解決しようとする課題】
【０００４】
しかしながら前記の装置（Ｃ）は、複数の像露光手段が全て感光体面に対し正確に結合するよう光学系を高い精度で位置設定すると共に、像露光のレジスト精度の保証即ち重ね合わされるべき像露光の像露光位置が画像面に対し常に正しく同期して合致することが必要である。
【０００５】
本発明はこの点を解決して改良した結果、像露光手段を感光体面に対し精度良くかつ容易な作業により調整した上固定することを可能としたカラー画像形成装置の提供を目的としたものである。
【０００６】
また本発明はこの点を解決して改良した結果、像露光手段を感光体面に対し精度良くかつ容易な作業により調整した上固定することを可能としたカラー画像形成装置に用いる像露光手段の組立方法の提供を目的としたものである。
【課題を解決するための手段】
【０００７】
上記目的は、
１）  像形成体の周辺に帯電手段、像露光手段および現像手段をそれぞれ複数設け、前記像形成体の一回転中に該像形成体上に複数のトナー像を重ね合わせて形成した後、転写材に一括して転写するカラー画像形成装置に用いる像露光手段の組立方法であって、
前記像露光手段を位置調整可能に保持すると共に、該像露光手段を取り付ける支持部材と、前記像形成体面に相当する位置に結像面が設定されたＣＣＤと、を支持する調整装置を用い、
前記像露光手段の焦点が前記ＣＣＤ面に合焦するように、前記像露光手段を前記ＣＣＤ面の垂直方向に移動し位置調整するステップ、及び
前記位置調整された前記像露光手段を低硬化収縮性の接着剤を介して前記支持部材上に固定するステップ、を有する像露光手段の組立方法、
２）  像形成体の周辺に帯電手段、像露光手段および現像手段をそれぞれ複数設け、前記像形成体の一回転中に該像形成体上に複数のトナー像を重ね合わせて形成した後、転写材に一括して転写するカラー画像形成装置に用いる像露光手段の組立方法であって、
前記像形成体面に相当する位置に結像面が設定されたＣＣＤを、前記像露光手段を取り付ける支持部材に対し配置するステップ、
前記像露光手段の焦点が前記ＣＣＤ面に合焦するように、前記像露光手段を前記ＣＣＤ面の垂直方向に移動し位置調整するステップ、及び
前記位置調整された前記像露光手段を低硬化収縮性の接着剤を介して前記支持部材上に固定するステップ、を有する像露光手段の組立方法、
３）  前記像露光手段は前記像形成体の軸方向に配列した発光素子とレンズとから構成される露光光学系である１）又は２）に記載の像露光手段の組立方法、
４）  前記像露光手段は微動ステージ上にクランプされて保持されている１）〜３）の何れかの像露光手段の組立方法、
５）  前記ＣＣＤの結像面は、前記像形成体面に相当する位置に結像面が設定された状態で、前記支持部材の軸心に対して平行移動される１）〜４）の何れかの像露光手段の組立方法、
６）  前記像露光手段全体の前記ＣＣＤ面に対する合焦位置の調整は前記像露光手段の少なくとも両端部の近傍２カ所で行われる１）〜５）の何れかの像露光手段の組立方法、
７）  前記調整ステップにおいて、前記像露光手段はＣＣＤ面に対する角度と位置の調整がされた上で、前記ＣＣＤ面の垂直方向に移動される１）〜６）の何れかの像露光手段の組立方法、
８）  前記ＣＣＤは２次元のエリアタイプのＣＣＤであるとともに、
前記調整ステップにおいて、ＣＣＤに対し前記像露光手段の焦点位置をそれぞれ少なくとも３カ所以上変化させて、半値幅又は最大輝度を測定することにより合焦位置を予測し、前記像露光手段の位置が調整される１）〜７）の何れかの像露光手段の組立方法、
９）  前記低硬化収縮性の接着剤は紫外線硬化型の接着剤であるとともに、前記固定ステップにおいて前記像露光手段は前記支持部材との間に紫外線透過可能な貼付部材を介在させた上で前記接着剤によって固定される１）〜８）の何れかの像露光手段の組立方法、
によって達成される。
【発明の効果】
【０００８】
本発明の像露光手段の組立方法により、装置内に調整機構や固定部材を組み込むことなく、複数の像露光手段を感光体面に対する所定の位置に調整時間を短縮して、精度良くかつ強固に固定することが可能となり、その結果構造が簡単でコストの低減も期待出来るカラー画像形成装置が実現されることとなった。
【実施例】
【０００９】
各実施例の説明に先立って共通とするカラー画像形成装置の構成とその作用を図１乃至図４によって説明する。
【００１０】
図１は像露光手段を像形成体の内部に収容するいわゆる内包型の像露光手段を備えるカラー画像形成装置を示しているが、本発明は像露光手段を像形成体の外部に配置する形式のカラー画像形成装置に対しても適用されるものである。
【００１１】
１０はドラム状の像形成体即ち感光体ドラムで、光学ガラス若しくは透明アクリル樹脂等の透明部材によって形成される基本の外周に透明導電層から成る有機感光層（ＯＰＣ）を塗布したもので、接地した状態で時計方向に駆動回転される。
【００１２】
１１は帯電手段であるスコロトロン帯電器で、感光体ドラム１０の前述した有機感光体層に対し所定の電位に保持されたグリッドと放電ワイヤによるコロナ放電とによって帯電作用を行い、感光体ドラム１０に対し一様な電位を与える。
【００１３】
１２は像露光手段である露光光学系で、感光体ドラム１０の軸方向に配列したＬＥＤ，ＦＬ，ＥＬ，ＰＬ等の発光素子とセルフォックレンズとから構成される。別体の画像読み取り装置によって読み取られた各色の画像信号がメモリより順次取り出されて前記の各露光光学系１２にそれぞれ電気信号として入力される。この実施例で使用される発光素子の発光波長は５００〜９００ｎｍの範囲のものである。
【００１４】
前記の各露光光学系１２は何れも柱状の支持部材２０に取り付けられて前記感光体ドラム１０の基体内部に収容される。露光光学系１２は上記の発光素子以外にＬＣＤ，ＬＩＳＡ，ＰＬＺＴ等の光シャッタ部材を組み合わせたものとセルフォックレンズ等の結像レンズとから構成することもできる。
【００１５】
１３Ｙ，１３Ｍ，１３Ｃ，１３Ｋはイエロー（Ｙ），マゼンタ（Ｍ），シアン（Ｃ）及び黒色（Ｋ）の各現像剤を収容する現像手段である現像器で、それぞれ感光体ドラム１０の周面に対し所定の間隙を保って同方向に回転する現像スリーブ１３０を備えている。
【００１６】
前記の各現像器１３は、前述した帯電器１１による帯電，露光光学系１２による像露光によって形成される感光体ドラム１０上の静電潜像を現像バイアス電圧の印加により非接触の状態で反転現像する。
【００１７】
次に本装置におけるカラー画像形成のプロセスについて説明する。
【００１８】
原稿画像は本装置とは別体の画像読み取り装置において、撮像素子により読み取られた画像あるいは、コンピュータで編集された画像を、Ｙ，Ｍ，Ｃ及びＫの各色別の画像信号として一旦メモリに記憶し格納される。
【００１９】
画像記録のスタートにより感光体駆動モータが回動して感光体ドラム１０を時計方向へと回転し、同時に帯電器１１（Ｙ）の帯電作用により感光体ドラム１０に電位の付与が開始される。
【００２０】
感光体ドラム１０は電位を付与されたあと、前記の露光光学系１２（Ｙ）において第１の色信号すなわちイエロー（Ｙ）の画像信号に対応する電気信号による像露光が開始されドラムの回転走査によってその表面の感光層に原稿画像のイエロー（Ｙ）の画像に対応する静電潜像を形成する。
【００２１】
前記の潜像は現像器１３（Ｙ）により現像スリーブ上の現像剤が非接触の状態で反転現像され感光体ドラム１０の回転に応じイエロー（Ｙ）のトナー像が形成される。
【００２２】
次いで感光体ドラム１０は前記イエロー（Ｙ）のトナー像の上にさらに帯電器１１（Ｍ）の帯電作用により電位を付与され、露光光学系１２（Ｍ）の第２の色信号すなわちマゼンタ（Ｍ）の画像信号に対応する電気信号による像露光が行われ、現像器１３（Ｍ）による非接触の反転現像によって前記のイエロー（Ｙ）のトナー像の上にマゼンタ（Ｍ）のトナー像が順次重ね合わせて形成される。
【００２３】
同様のプロセスにより帯電器１１（Ｃ）、露光光学系１２（Ｃ）および現像器１３（Ｃ）によってさらに第３の色信号に対応するシアン（Ｃ）のトナー像が、また最後に帯電器１１（Ｋ）、露光光学系１２（Ｋ）および現像器１３（Ｋ）によって第４の色信号に対応する黒（Ｋ）のトナー像が順次重ね合わせて形成され、感光体ドラム１０の一回転以内にその周面上にカラーのトナー像が形成される。
【００２４】
かくして感光体ドラム１０の周面上に形成されたカラーのトナー像は転写器１４Ａにおいて、給紙カセット１５より搬送されタイミングローラ１６の駆動によって同期して給紙される転写材である転写紙に転写される。
【００２５】
トナー像の転写を受けた転写紙は、除電器１４Ｂにおいては帯電の除去を受けてドラム周面より分離し、定着装置１７においてトナーを溶着したのち排紙ローラ１８を介して装置上部のトレイ上に排出される。
【００２６】
一方、転写紙を分離した感光体ドラム１０はクリーニング装置１９において残留トナーを除去，清掃して原稿画像のトナー像の形成を続行するか、もしくは一旦停止して新たな原稿画像のトナー像の形成に待機する。
【００２７】
前記の感光体ドラム１０は図２に示す如く、それを係合固定する両面端のフランジ部材１０Ａ及び１０Ｂが装置本体に架設固定されるドラム軸１１０に対し直接或いは間接に軸受けされて回動自在に支持され、フランジ部材１０Ｂの一体とする歯車Ｇが装置本体側の駆動歯車と噛合して駆動されることにより所定の方向に回転されるようになっている。
【００２８】
前記のドラム軸１１０は、感光体ドラム１０の内部において前述した各露光光学系１２を取り付け固定する支持部材２０を挿通して一体に固定している。
【００２９】
図３は他の実施例のカラー画像形成装置を示すもので、感光体ドラム１０の外部に露光光学系１２を配置した構成を示している。前記の感光体ドラム１０は先に説明した図２に示す如く、それを係合固定する両面端のフランジ部材１０Ａ及び１０Ｂが装置本体に架設固定されるドラム軸１１０に対し直接或いは間接に軸受けされて回動自在に支持され、フランジ部材１０Ｂの一体とする歯車Ｇが装置本体側の駆動歯車と噛合して駆動されることにより所定の方向に回転されるようになっている。
【００３０】
図４は図３に示した実施例の露光光学系１２を保持する支持部材４０の部品単体を示している。支持部材４０は感光体ドラム１０を外包し、感光体ドラムと同心の円筒状部材であって、各露光光学系１２は支持部材４０の周面に固定される。図４に示した支持部材４０で開口したスリット穴は各現像器１３や各露光光学系１２の挿入用に設けたものである。
【００３１】
以下説明する各発明は何れも前記の支持部材２０或いは支持部材４０に対する各露光光学系１２の取り付け固定の方法に関するものである。
【００３２】
図１に示したカラー画像形成装置における各露光光学系１２の各支持部材２０に対する取付位置の設定には図５（ａ）に示すような調整装置１００が使用される。
【００３３】
調整装置１００は露光光学系１２をクランプして保持する微動ステージ１１０と、ＣＣＤを支持しリニアスケールに沿って平行移動する摺動台１２０と、支持部材２０を支え所要各度回転して取付面の位置設定をするロータリエンコーダを備えた回転角度設定手段１３０とから構成されていて前記のＣＣＤの結像面は、感光体ドラム１０の感光体面に相当する位置に正確に設定された状態で、支持部材２０の軸心に対して平行移動されるようになっている。
【００３４】
前記の微動ステージ１１０は、水平および垂直方向の角度の微調整により保持した露光光学系１２のＣＣＤ面に対する角度と位置を調整した上で、さらに露光光学系１２をＣＣＤ面の垂直方向に微動することにより要部断面図（図５（ｂ））に示す如く露光光学系１２の焦点をＣＣＤ面に合焦して支持部材２０に対する露光光学系１２の相対的な位置関係を調整する。なお露光光学系１２全体のＣＣＤ面に対する合焦位置の調整は前記の摺動台１２０を平行移動することにより露光光学系１２の少なくとも両端部の近傍２ケ所で行われる。
【００３５】
一方露光光学系１２を感光体ドラム１０の外部に配置する図３に示したカラー画像形成装置の場合には、図６に示す如く支持部材４０の切欠部を利用して露光光学系１２を支持部材４０の内側に保持出来る微動ステージ１１０と支持部材４０の内部で感光体ドラムの軸心（支持部材４０の軸心）に対して平行移動の可能な摺動台１２０と、支持部材４０を支え、所要角度回転して取付面の位置設定を行うエンコーダを備えた図示しない回転角度設定手段が使用される。この場合も図５によって説明したと同様に、露光光学系１２の焦点をＣＣＤ面に合焦して支持部材４０に対する露光光学系１２の相対的な位置関係を調整する。
（実施例１）
本発明の１実施例を図７によって説明する。
【００３６】
各露光光学系１２は前述した調整装置１００によりＣＣＤに対する位置を調整されたあと接着剤を介して支持部材２０に貼付け固定される。
【００３７】
予め設定される露光光学系１２の背面と支持部材２０の取付面の間隙は、露光光学系１２の焦点距離のバラツキを含む個差や合焦位置設定の際の調整誤差あるいは支持部材２０自体の製作誤差等を考慮しさらに接着剤の塗布代を含めた最小限度の間隙とし、その間隙に接着剤を塗布し充填する。
【００３８】
前記の接着剤としては硬化に際して収縮率の小さい低硬化収縮性の例えば紫外線硬化型の変性アクリル樹脂系接着剤あるいはエポキシ樹脂系接着剤等の収縮率（体積）１０％以下の接着剤が使用される。一般に関係部品の寸法精度を高めることにより調整に必要とする間隙の量は少なくなり、前記の間隙の量は最大でも０．５ｍｍとすれば充分であるので、調整接着後の接着剤の収縮に伴う露光光学系１２の変動量は最大でも０．０２ｍｍ以下に収まることとなり、固定された状態において許容される合焦位置のズレ量以内に止めることが出来る。
【００３９】
従って本発明によるときは、露光光学系１２は接着剤のみによって支持部材２０の所定位置に高精度に固定されることとなり、その結果従来用いられていた露光光学系を支持する微調整機構や露光光学系を支持部材に固定する固定用のネジ部材等が不要となり、機構の簡素化と労力の低減によるコストダウンが可能となった。
（実施例２）
本発明の他の実施例を図８によって説明する。
【００４０】
本発明は従来目視によって調整していた像露光手段の合焦位置の調整を自動的に実施出来るようにしたものである。
【００４１】
予め露光光学系１２による光学特性を調査してその結果から正規の合焦位置に対する結像位置のズレに対応した図８に示すような半値幅あるいは最大輝度の変化を求めて例えば４次式以下の近似式をもってプログラム化し合焦位置調整用メモリに記憶して置く。図８から明らかなように、合焦位置においては半値幅は最小値、最大輝度は最大値となっている。
【００４２】
一方前記の調整装置１００の摺動台１２０の支持するＣＣＤは２次元のエリアタイプのＣＣＤとし、かつ所定の主走査方向の位置に設定される露光光学系１２の両端部近傍に対応するよう前記のＣＣＤはリニアスケール上の２ケ所に設置される。
【００４３】
露光光学系１２の合焦位置への位置調整に際しては合焦位置と想定される位置を含めてその前後と少なくとも３ケ所の点についての半値幅又は最大輝度の測定を行い、その測定値を前記のプログラム（４次式以下の近似式）上にプロット（代入）して合焦位置の演算処理を行い、露光光学系１２をＣＣＤに対し演算結果に基づく量だけ、移動するよう自動制御を行い、露光光学系１２の停止位置をもって、その点を合焦位置として露光光学系１２の位置設定を行う。図８において黒丸は３ケ所の測定点を示し、Ｘは演算処理によって求められた合焦位置を示している。
【００４４】
また２次元ＣＣＤを用いることで、露光光学系１２の主走査・副走査方向の位置設定も、ＣＣＤ上に取付基準位置を設けることにより自動的に行うことが可能となり、合焦位置設定に続き主走査・副走査方向の位置設定を自動で順次行うことにより露光光学系１２の位置設定を完全に自動化することが可能となる。
（実施例３）
本発明の更に他の実施例を図９によって説明する。
【００４５】
各露光光学系１２は前述した調整装置１００によりＣＣＤに対する位置を決定したあと支持部材２０との間に一対の貼付部材を介在させた上で接着剤を介して貼付け固定される。
【００４６】
前記の貼付部材は紫外線を効率良く透過する材料によって形成されていて前記の接着剤には紫外線硬化型の接着剤が使用される。
【００４７】
図９（ａ）に示す露光光学系１２はその両端部に設けた貼付部材１２０Ａを一体としていて、貼付部材１２Ａと支持部材２０の取付面との間に塗布、充填された接着剤が前記の貼付部材１２０Ａを透過する紫外線の照射によって硬化し固着される。
【００４８】
また図９（ｂ）に示す露光光学系１２はＬ字状の貼付部材１２０Ｂを介して支持部材２０の取付面に貼付けられるようになっていて、貼付部材１２０Ｂと露光光学系１２、貼付部材１２０Ｂと支持部材２０の取付面との間に塗布、充填された紫外線硬化型接着剤は塗布部材１２０Ｂを分散して透過する紫外線の照射により硬化し固着される。
【００４９】
さらに図９（ｃ）に示す露光光学系１２は調整用の楔状の貼付部材１２０Ｃを介して支持部材２０の取付面に貼付られるようになっていて、貼付部材１２０Ｃと支持部材２０の取付面、貼付部材１２０Ｃと露光光学系１２との間に塗布、充填された接着剤は貼付部材１２０Ｃを透過しさらに内面で反射する紫外線の照射によって硬化し固着される。
【００５０】
従って図９（ａ）〜（ｃ）に示した各露光光学系の支持部材に対する接着作業は明室において極めて容易かつ能率良く実施され、調整がなされた時点で紫外線を照射することで、直ちに調整位置に対し正確に露光光学系１２を固定することが可能となる。
【図面の簡単な説明】
【００５１】
【図１】内部露光形式のカラー画像形成装置の断面構成図。
【図２】内部露光の場合の像露光手段の支持構造を示す断面図。
【図３】外部露光形式のカラー画像形成装置の断面構成図。
【図４】外部露光に使用される像露光手段の支持部材の斜視図。
【図５】調整装置の構成を示す斜視図及び要部断面図。
【図６】外部露光に使用される支持部材への取付形式を示す説明図。
【図７】接着剤による像露光手段の直接的固定方法を示す説明図。
【図８】像露光手段の合焦位置の予測に使用される近似式のグラフ。
【図９】貼付部材を介した像露光手段の間接的固定方法を示す説明図。
【符号の説明】
【００５２】
１０  感光体ドラム
１１  帯電器
１２  露光光学系
１３  現像器
１４Ａ  転写器
１４Ｂ  除電器
１５  給紙カセット
１６  タイミングローラ
１７  定着装置
１９  クリーニング装置
２０，４０  支持部材
１００  調整装置
１１０  微動ステージ
１２０  摺動台
１３０  回転角度設定手段
１２０Ａ，１２０Ｂ，１２０Ｃ  貼付部材
【図１】
2004213040.tif 000003
【図２】
2004213040.tif 000004
【図３】
2004213040.tif 000005
【図４】
2004213040.tif 000006
【図５】
2004213040.tif 000007
【図６】
2004213040.tif 000008
【図７】
2004213040.tif 000009
【図８】
2004213040.tif 000010
【図９】
2004213040.tif 000011